Podtech/llm-jp-corpus-v4-ja_patent huggingface dataset:
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
複数のネットワーク装置を有するネットワークに対する監視のための装置であって、ネットワーク装置は少なくとも１つのモジュールを有し、監視装置は、各モジュールの予め定義されたプロトコルに従って、予期される行動を監視するための前記複数のネットワーク装置の前記少なくとも１つのネットワークモジュールにおける監視層を含み、前記監視層は前記複数のネットワーク装置の前記少なくとも１つのネットワークモジュールにおいて前記予期される行動からの偏りを検出するように構成される、監視装置。
【請求項２】
前記メンバは、通信プロトコルを含む、請求項１に記載の監視装置。
【請求項３】
前記メンバは、標準行動定義を含む、請求項１に記載の監視装置。
【請求項４】
前記メンバは、プロトコル定義された行動を含む、請求項１に記載の監視装置。
【請求項５】
前記メンバは、ネットワークのために個別化される規格を含む、請求項１に記載の監視装置。
【請求項６】
前記メンバは、前記ネットワーク装置内の自律モジュールのモジュール特定行動を含む、請求項１に記載の監視装置。
【請求項７】
前記監視層は、複数のモジュールに共通のメンバ機能のために構成されるエキスパート要素、およびモジュール特定メンバ機能のために構成されるモジュール要素を含むモジュール構造を有する、請求項１に記載の監視装置。
【請求項８】
前記共通のメンバ機能は、プロトコル定義およびインターフェース規格からなる群のうち少なくとも１つを含む、請求項７に記載の監視装置。
【請求項９】
前記監視層のいくつかは、各自律モジュールにおける偏りの検出の際に各モジュールに修正を提供するための、修正ユニットをさらに含む、請求項１に記載の監視装置。
【請求項１０】
前記修正ユニットは、前記修正を推奨としてユーザに促すように構成される、請求項９に記載の監視装置。
【請求項１１】
前記修正ユニットは、各モジュールに前記修正を自動的に適用するように構成される、請求項９に記載の監視装置。
【請求項１２】
ユーザに状態報告を出力するようにさらに構成される、請求項１に記載の監視装置。
【請求項１３】
リーダ要素、および自律構造体としてツリーノードのまわりの他のネットワーク装置のツリー構造を管理することができるツリーノードでさらに構成される、請求項１２に記載の監視装置。
【請求項１４】
他のモジュールと通信するためにプロトコルまたはインターフェース規格を操作するモジュールを監視するための装置であって、監視装置は、前記モジュールの予め定義されたプロトコルに従って予期される行動を監視するために前記モジュールのまわりに構成される監視層を含み、前記予期される行動は前記プロトコルまたはインターフェース規格によって定義され、前記行動を監視することは、前記予期される行動からの偏りに反応し、それにより前記モジュールを管理するように構成される、監視装置。
【請求項１５】
ネットワークを監視するための方法であって、
前記ネットワーク上の装置上のモジュールにおいて予め定義されたプロトコルに従って予期される行動を定義すること、および
前記ネットワーク上の前記予期される行動と前記モジュールとの適合を監視すること
を含む、方法。
【請求項１６】
前記監視層は、前記各モジュールの構成を監視するために構成され、前記構成は、前記複数のネットワーク装置の前記少なくとも１つのネットワークモジュールにおいて予期される構成からの偏りを検出するようにさらに構成される、請求項１に記載の監視装置。
【請求項１７】
前記定義することは、前記ネットワーク上の装置上のモジュールにおける構成を定義することを含み、前記監視することは、前記ネットワークの予期される構成と前記モジュールとの適合を監視することを含む、請求項１５に記載の方法。
【請求項１８】
前記モジュールの管理は、前記ネットワーク装置上で局所的に行なわれる、請求項１５に記載の方法。
【請求項１９】
前記監視することの管理は、前記モジュールによって局所的に行なわれる、請求項１５に記載の方法。
【請求項２０】
前記監視層は、前記モジュールの構成または行動を監視するために構成され、前記行動を監視することは、予期される構成または予期される行動からの偏りに反応し、それにより前記モジュールを管理することを含む、請求項１４に記載の監視装置。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
ＥＵＶ光生成プラズマ内に作成された材料との除去相互作用による除去を受ける被覆材料から成る集光器外面を備えた多層ミラー集光器を含む集光器と、
前記除去相互作用によって除去される前記被覆材料を置換するのに十分な速度で被覆材料を含む置換材料を前記集光器外面に送出するように位置決めされた置換材料発生器と、  を含むことを特徴とするＥＵＶ光源集光器侵食緩和システム。
【請求項２】
前記置換材料発生器は、前記集光器外面の選択された部分に置換材料をそれぞれ送出するように位置決めされた複数の置換材料発生器を含む、
ことを更に含むことを特徴とする請求項１に記載の装置。
【請求項３】
前記置換材料発生器は、置換被覆材料を前記集光器外面上にスパッタリングするスパッタリング機構を含む、
ことを更に含むことを特徴とする請求項１に記載の装置。
【請求項４】
前記集光器のＥＵＶ反射率の表示を供給するＥＵＶ光検出器と、
前記集光器外面への置換材料の前記送出を制御する置換材料発生器制御機構と、
を更に含むことを特徴とする請求項１に記載の装置。
【請求項５】
前記集光器のＥＵＶ反射率の表示を供給するＥＵＶ光検出器と、
前記集光器外面への置換材料の前記送出を制御する置換材料発生器制御機構と、
を更に含むことを特徴とする請求項２に記載の装置。
【請求項６】
前記集光器のＥＵＶ反射率の表示を供給するＥＵＶ光検出器と、
前記集光器外面への置換材料の前記送出を制御する置換材料発生器制御機構と、
を更に含むことを特徴とする請求項３に記載の装置。
【請求項７】
前記集光器のＥＵＶ反射率の表示を供給するＥＵＶ光検出器と、
前記集光器外面への置換材料の前記送出を制御する置換材料発生器制御機構と、
を更に含むことを特徴とする請求項２に記載の装置。
【請求項８】
前記置換材料発生器制御機構は、前記置換材料の前記送出の速度を制御する、
ことを更に含むことを特徴とする請求項４に記載の装置。
【請求項９】
前記置換材料発生器制御機構は、前記置換材料の前記送出の速度を制御する、
ことを更に含むことを特徴とする請求項７に記載の装置。
【請求項１０】
ＥＵＶ光生成プラズマ内に作成された材料との除去相互作用による除去を受ける被覆材料から成る集光器外面を備えた多層ミラー集光器を含む集光器のためのＥＵＶ光源集光器侵食緩和方法であって、
置換材料発生器を利用して、除去相互作用によって除去される被覆材料を置換するのに十分な速度で被覆材料を含む置換材料を集光器外面に送出する段階、
を含むことを特徴とする方法。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
プラズマ原料物質化合物をプラズマ生成ＥＵＶ光源集光光学器械から除去する方法であって、
プラズマ原料物質化合物を水素と反応させて、集光光学器械上に、該プラズマ原料物質化合物に含有されているプラズマ原料物質から該プラズマ原料物質の水素化物を形成する段階、
を含むことを特徴とする方法。
【請求項２】
前記集光光学器械を収容するプラズマ形成チャンバ内に水素を導入することによって前記反応させる段階を開始する段階、
を更に含むことを特徴とする請求項１に記載の方法。
【請求項３】
前記水素化物を前記集光光学器械から除去する段階、
を更に含むことを特徴とする請求項１に記載の方法。
【請求項４】
清浄化プラズマ作用及び／又はプラズマ原料物質スパッタリングにより、前記水素化物を前記集光器から除去する段階、
を更に含むことを特徴とする請求項３に記載の方法。
【請求項５】
前記プラズマ原料物質は、リチウムを含み、前記プラズマ原料物質化合物は、リチウムと酸素の化合物、及び／又はリチウムと炭素の化合物を含む、
ことを更に含むことを特徴とする請求項３に記載の方法。
【請求項６】
プラズマ生成ＥＵＶ光源集光器コーティング層の有効寿命を延長する方法であって、
コーティング層上へのコーティング層材料の堆積によるコーティング層の材料の原位置置換、
を含むことを特徴とする方法。
【請求項７】
前記堆積処理は飽和限界を有し、該処理は正確な割合を感知しない、
ことを更に含むことを特徴とする請求項６に記載の方法。
【請求項８】
前記堆積処理は、サイクルが反復可能であるように補足的である、
ことを更に含むことを特徴とする請求項６に記載の方法。
【請求項９】
前記コーティング層の前記材料は、ルテニウムを含む、
ことを更に含むことを特徴とする請求項６に記載の方法。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
チョークのトロイダルコア（２）内に挿入可能な保持装置（５）であって、当該保持装置（５）が、係止装置（５０）を有している形式のものにおいて、当該保持装置（５）が、係止装置（５０）によって対応片に固定可能であり、当該保持装置（５）が、１つの中心部分（５５）と、該中心部分（５５）を中心として巻上げ可能な、外向きに延びる弾性変形可能な少なくとも２つのウェブ（５０１，５０２，５０３）とを有しており、該ウェブ（５０１，５０２，５０３）が、それぞれ中心部分（５５）と反対の側の端部に剛性的な絶縁領域（５１１，５１２，５１３）を有していることを特徴とする、チョークのトロイダルコア内に挿入可能な保持装置。
【請求項２】
当該保持装置（５）が、トロイダルコアホール内に位置固定可能である、請求項１記載の保持装置。
【請求項３】
係止装置（５０）が、係止面として形成されている、請求項１または２記載の保持装置。
【請求項４】
係止面が、リブ付け部を有している、請求項３記載の保持装置。
【請求項５】
係止装置（５０）が、当該保持装置（５）の端面に配置されている、請求項１から４までのいずれか１項記載の保持装置。
【請求項６】
当該保持装置（５）が、電位分離装置として設けられている、請求項１から５までのいずれか１項記載の保持装置。
【請求項７】
星形に延びるウェブ（５２１，５２２，５２３）が設けられており、該ウェブの少なくとも１つが、係止装置（５０）を有している、請求項６記載の保持装置。
【請求項８】
１つの絶縁領域（５１１，５１２，５１３）が、少なくとも１つの係止装置（５０）を有している、請求項７記載の保持装置。
【請求項９】
中心部分（５５）が、少なくとも１つの係止装置（５０）を有している、請求項１記載の保持装置。
【請求項１０】
当該保持装置（５）の、係止面（５０）を有する部分が、当該保持装置（５）の残りの部分に比べて張り出して形成されている、請求項１から９までのいずれか１項記載の保持装置。
【請求項１１】
トロイダルコア（２）に用いられる支持装置において、トロイダルコア（２）に用いられる保持装置（５）を固定するための係止装置（１１３）が設けられていることを特徴とする、トロイダルコアに用いられる支持装置。
【請求項１２】
係止装置（１１３）が、請求項１から１０までのいずれか１項記載の保持装置（５）を固定するために適している、請求項１１記載の支持装置。
【請求項１３】
係止装置（１１３，１２３）が、少なくとも１つの係止面（１１３，１２３）を有している、請求項１１または１２記載の支持装置。
【請求項１４】
係止装置（１１３，１２３）が、互いに向かい合って位置する２つの係止面（１１３，１２３）を有している、請求項１３記載の支持装置。
【請求項１５】
保持装置（５）が設けられており、該保持装置（５）が、トロイダルコアチョークのトロイダルコア（２）内に挿入可能である、請求項１１から１４までのいずれか１項記載の支持装置。
【請求項１６】
当該支持装置が、誘導性の構成素子の少なくとも１つの部分ハウジングを形成している、請求項１４または１５記載の支持装置。
【請求項１７】
ベースプレート（１０）が設けられており、該ベースプレート（１０）が、張り出した長く延ばされた固定装置（１１，１２）と、該固定装置（１１，１２）の間に配置された、トロイダルコアチョークを収容するための領域とを有しており、固定装置（１１，１２）が、前記領域に向けられたそれぞれ少なくとも１つの係止面（１１３）を有している、請求項１４から１６までのいずれか１項記載の支持装置。
【請求項１８】
固定装置（１１，１２）が、それぞれベースプレート（１０）に対して垂直に延びるロッドとして形成されている、請求項１７記載の支持装置。
【請求項１９】
１つの固定装置（１１，１２）が、長く延ばされた突出部（１１１，１１２）を有しており、該突出部（１１１，１１２）が、係止面（１１３）を側方で仕切っている、請求項１７または１８記載の支持装置。
【請求項２０】
突出部（１１１，１１２）の、ベースプレート（１０）と反対の側の端部が斜め面取りされている、請求項１９記載の支持装置。
【請求項２１】
固定装置（１１，１２）が、トロイダルコアチョークの線材巻線のモジュラ寸法を維持するために設けられている、請求項１７から２０までのいずれか１項記載の支持装置。
【請求項２２】
固定装置（１１，１２）が、それぞれ１つの線材案内通路を有している、請求項１７から２１までのいずれか１項記載の支持装置。
【請求項２３】
線材案内通路が、ベースプレート（１０）に対して横方向に延びている、請求項２２記載の支持装置。
【請求項２４】
線材案内通路が、固定装置（１１，１２）の、チョーク領域と反対の側に形成されている、請求項２２または２３記載の支持装置。
【請求項２５】
トロイダルコアチョークが、固定装置（１１，１２）の間に起立した状態に配置可能である、請求項１１から２４までのいずれか１項記載の支持装置。
【請求項２６】
固定装置（１１，１２）が、Ｈプロファイルを有している、請求項１７から２５までのいずれか１項記載の支持装置。
【請求項２７】
ベースプレート（１０）に、線材巻線（４１，４２，４３）の端部を収容するための少なくとも２つの線材貫通案内開口（１０１〜１０６）が設けられている、請求項１７から２６までのいずれか１項記載の支持装置。
【請求項２８】
１つの保持装置（１１，１２）の線材案内通路が、１つの線材貫通案内開口（１０３，１０４）に開口している、請求項１７から２７までのいずれか１項記載の支持装置。
【請求項２９】
誘導性の構成素子に用いられる保持部であって、請求項１３から２８までのいずれか１項記載の支持装置と、請求項１から１０までのいずれか１項記載の保持装置（５）とが設けられている形式のものにおいて、保持装置（５）と支持装置との係止装置（５０，１１３）が、互いに対応片として形成されていることを特徴とする、誘導性の構成素子に用いられる保持部。
【請求項３０】
誘導性の構成素子であって、請求項１９記載の保持部と、トロイダルコアチョークとが設けられており、該トロイダルコアチョークが、１つのトロイダルコア（２）と、複数の線材巻線（４１，４２，４３）とを有している形式のものにおいて、保持装置（５）が、トロイダルコアチョークのコアホール内に挿入されていて、固定装置（１１，１２）の間に位置固定されていることを特徴とする、誘導性の構成素子。
【請求項３１】
線材巻線（４１，４２，４３）の端部（３１，３２，３３）が、ベースプレート（１０）の線材貫通案内開口（１０１〜１０６）を通して案内されている、請求項３０記載の誘導性の構成素子。
【請求項３２】
１つの線材巻線（４１，４２，４３）の端部（３１，３２，３３）が、固定装置（１１，１２）の線材案内通路内に案内されている、請求項３０または３１記載の誘導性の構成素子。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
生体の表面を横切って物質を輸送する無針式経皮輸送装置であって、
物質を貯蔵するリザーバと、
前記リザーバに連通しているノズルと、
前記リザーバに連結している制御可能な電磁アクチュエータと、
を有しており、
前記アクチュエータが、
磁界を供給する固定の磁石アセンブリと、
磁石アセンブリに対してスライド可能に配置され、電気入力を受け取り、これに応答して、受け取った入力に対応する力を生成するコイルアセンブリと、を有しており、
前記力が、前記コイルアセンブリ内の電流と前記磁界との相互作用から発生するものであって、リザーバと生体との間の無針での物質の輸送を生じさせる、装置。
【請求項２】
請求項１において、前記コイルアセンブリ内で生成される力が、受け取る電気入力の変化に従って動的に可変である装置。
【請求項３】
請求項１において、さらに、前記制御可能な電磁アクチュエータに電気的に接続されたサーボコントローラを有し、このサーボコントローラが前記電気入力を提供する装置。
【請求項４】
請求項３において、さらに、前記サーボコントローラに電気的に接続された少なくとも１つのセンサを有し、このセンサが物理的特性を検出し、前記サーボコントローラが検出された物理的特性に応答して前記電気入力を生成する装置。
【請求項５】
請求項４において、検出される物理的特性が、位置、力、圧力、電流、および電圧のうちの１つ以上である装置。
【請求項６】
請求項３において、さらに、前記コントローラに電気的に接続されたリモート通信インタフェースを有し、前記コントローラが、このリモート通信インタフェース介して受信した通信内容に応答して前記電気入力を生成する装置。
【請求項７】
請求項３において、さらに、生体から採取したサンプルを分析するように構成された分析器を有し、前記サーボコントローラが、サンプルの分析に応答して前記電気入力を提供するように構成されている装置。
【請求項８】
請求項１において、前記制御可能な電磁アクチュエータが、双方向性であって、第１の電気入力に応答して正の力を生成し、第２の電気入力に応答して負の力を生成する装置。
【請求項９】
請求項１において、前記電磁アクチュエータが、ノズルを通って物質を押し出し、生体の表面を貫通するのに充分な速度を有するジェットを生成する装置。
【請求項１０】
請求項１において、さらに、前記電気入力の生成に使用される充電式電源を有する装置。
【請求項１１】
請求項１０において、前記制御可能な電磁アクチュエータが、前記充電式電源を充電するように構成されている装置。
【請求項１２】
請求項１１において、さらに、前記制御可能な電磁アクチュエータを使用して前記充電式電源を充電するように構成された取り外し可能な機械的取付け具を有する装置。
【請求項１３】
請求項１において、複数の連続した独立の無針式輸送を実現するように構成されている装置。
【請求項１４】
請求項１において、前記リザーバ、ノズル、および制御可能な電気アクチュエータが、可搬の手持ちユニットに組み込まれている装置。
【請求項１５】
請求項１において、前記生成される力の立ち上がり時間が、約５ミリ秒未満である装置。
【請求項１６】
請求項１において、前記リザーバが約３００マイクロリットルの容積を貯蔵し、前記力の大きさおよび継続時間の両者が、前記３００マイクロリットルのすべて、または一部を輸送するのに充分である装置。
【請求項１７】
磁界を供給する固定の磁石アセンブリと、
前記磁石アセンブリに対してスライド可能に配置され、電気入力を受け取るコイルアセンブリと、
磁石アセンブリに当接する長さ全体にわたって形成された静止ベアリング面と、
前記コイルアセンブリの遠位部分に沿って画定され、前記静止ベアリング面に対してスライドするように構成された第１のベアリング面と、
を有する線形電磁アクチュエータ。
【請求項１８】
請求項１７において、さらに、前記コイルアセンブリの近位部分に沿って画定され、同じく前記静止ベアリング面に対してスライドするように構成された第２のベアリング面を有する線形電磁アクチュエータ。
【請求項１９】
生体の表面を横切って物質を輸送する無針式経皮輸送装置であって、
一端をノズルに結合されているリザーバに機械力を加える電磁アクチュエータ手段であり、この機械力が前記リザーバ内に圧力を生成し、この圧力の大きさが、前記機械力により変化し、体の表面を横切って物質の輸送を生じさせる、電磁アクチュエータ手段と、
物質の輸送の間に、物理的特性を検出する手段と、
前記検出した物理的特性に応じて供給される電気入力を変化させ、前記加えられる機械力に相応の変化を生じさせる手段と、
を有する装置。
【手続補正書】
【提出日】平成21年2月13日(2009.2.13)
【手続補正１】
【補正対象書類名】明細書
【補正対象項目名】特許請求の範囲
【補正方法】変更
【補正の内容】
【特許請求の範囲】
【請求項１】
ハウジングと、
注入端部及び該注入端部から間隔を置いて隔った患者端部及び前記注入端部から前記患者端部に延びる管束を有する注入流体通路と、
前記注入流体通路に接続されて注入流体通路と流体連通しているサンプル流体通路と、そして
前記サンプル流体通路に接続されて前記モジュール内に抜き取られる身体流体のサンプルから少なくとも第１成分を取り出すように構成された流体成分セパレーターと、を具備し、前記流体成分セパレーターは、前記第１成分の少なくとも一部を保持するように構成されたサンプル分析セルを有することを特徴とする、再使用可能な主流体ハンドリングインスツルメントと取り外し可能に係合するために構成された流体ハンドリングモジュール。
【請求項２】
前記注入流体通路の少なくとも１部分が前記ハウジングにより囲まれることを特徴とする請求項１の流体ハンドリングモジュール。
【請求項３】
前記注入流体通路の少なくとも１部分が前記ハウジングから延びることを特徴とする請求項１の流体ハンドリングモジュール。
【請求項４】
前記流体成分セパレーターがフイルターを備えることを特徴とする請求項１の流体ハンドリングモジュール。
【請求項５】
該フイルターが前記サンプル流体通路内に配置されることを特徴とする請求項１の流体ハンドリングモジュール。
【請求項６】
該流体成分セパレーターが前記ハウジング内に配置されることを特徴とする請求項１の流体ハンドリングモジュール。
【請求項７】
該流体成分セパレーターが前記ハウジング上に配置されることを特徴とする請求項１の流体ハンドリングモジュール。
【請求項８】
注入流体通路の注入端が、注入ソースと接続するように構成されていることを特徴とする請求項１の流体ハンドリングモジュール。
【請求項９】
第１流体通路の患者端末が患者内の身体流体との流体的連通を提供するように構成されたコネクターを備えることを特徴とする請求項１の流体ハンドリングモジュール。
【請求項１０】
主分析及び制御インスツルメントと、そして
前記主インスツルメントと取り外し可能に係合出来る流体ハンドリングモジュールと、を具備しており、
前記主インスツルメントはスペクトロスコープ型身体流体分析器と少なくとも１つの制御要素とを更に備えており、
前記流体ハンドリングモジュールは、流体成分セパレーターと少なくとも１つの流体ハンドリング要素とを更に備えており、前記流体成分セパレーターは前記流体ハンドリング要素を介してアクセス可能であり、
前記少なくとも１つの流体ハンドリング要素は、前記主インスツルメントと前記流体ハンドリングモジュールが係合された時に、前記少なくとも１つの制御要素と係合するように構成された制御インターフエースを有することを特徴とする流体ハンドリング分析システム。
【請求項１１】
前記少なくとも１つの制御要素が、前記少なくとも１つの流体ハンドリング要素内の流体流れを制御するように動作可能に構成されることを特徴とする請求項１０のシステム。
【請求項１２】
前記少なくとも１つの制御要素が、前記流体成分分離機と前記少なくとも１つの流体ハンドリング要素の間の流体的連通を制御するように動作可能に構成されることを特徴とする請求項１０のシステム。
【請求項１３】
前記流体ハンドリングモジュールがモジュールハウジングを更に備えており、前記少なくとも１つの制御要素インターフエースが前記モジュールハウジング内の第１開口部を通して前記主インスツルメントの前記少なくとも１つの制御要素にアクセス可能であることを特徴とする請求項１０のシステム。
【請求項１４】
前記モジュールハウジングが前記流体成分セパレーターを囲んでおり、前記モジュールハウジングが前記流体成分セパレーターへのアクセスを可能にするために動作可能なように位置付けられた第２開口部を更に有することを特徴とする請求項１３のシステム。
【請求項１５】
前記流体成分セパレーターが前記主インスツルメントの遠心分離機モーターと係合するように構成された遠心分離機ローターを有しており、前記第２開口部が前記遠心分離機ローターへのアクセスを可能にするよう構成されることを特徴とする請求項１４のシステム。
【請求項１６】
前記流体成分セパレーターが前記モジュールハウジング上に配置されることを特徴とする請求項１３のシステム。
【請求項１７】
前記流体成分セパレーターが、前記流体成分セパレーターへ輸送された身体流体のサンプルから少なくとも第１成分を除去するように構成されることを特徴とする請求項１０のシステム。
【請求項１８】
前記流体ハンドリングモジュールが、身体流体源との流体的連通を提供するように構成された患者端末を有する第１流体通路を具備することを特徴とする請求項１０のシステム。
【請求項１９】
身体流体源から前記第１流体通路を通り前記主インスツルメントに向って前記身体流体のサンプルを周期的に抜き取るように動作可能なように前記第１流体通路と動作可能に係合する少なくとも１つのポンプを更に具備することを特徴とする特徴とする請求項１８のシステム。
【請求項２０】
前記スペクトロスコープ型身体流体分析器は、身体流体の前記サンプルを分析して少なくとも１つの被検体の濃度を決定するように構成されていることを特徴とする請求項１９のシステム。
【請求項２１】
前記少なくとも１つのポンプが方向性を制御可能であることを特徴とする請求項１９のシステム。
【請求項２２】
前記少なくとも１つのポンプが２つ以上の単方向性ポンプを備えており、前記単方向性ポンプが前記第１通路を通して双方向性流れを提供するように動作可能に構成されることを特徴とする請求項１９のシステム。
【請求項２３】
前記主インスツルメントが、前記第１流体通路を介してアクセス可能なサンプル分析室を更に備えていることを特徴とする請求項１８のシステム。
【請求項２４】
前記第１流体通路が前記患者端末と前記サンプル分析室の間の流体的連通を選択的に制御するために１つ以上のバルブを更に備えることを特徴とする請求項２３のシステム。
【請求項２５】
第１流体通路に接続された第２流体通路を更に具備しており、前記第２流体通路は前記第１流体通路と前記サンプル分析室の間の流体的連通を提供することを特徴とする請求項２３のシステム。
【請求項２６】
前記流体成分セパレーターが前記第２流体通路及び前記サンプル分析室と流体的に連通することを特徴とする請求項２５のシステム。
【請求項２７】
サンプル分析室は、電磁放射が前記サンプル分析室内へ進むことを可能にする材料で作られた少なくとも１つの窓を備えることを特徴とする請求項２３の該システム。
【請求項２８】
前記第１流体通路が、インフュセートソースとの流体的連通を提供するように構成されたインフュセート端末を更に備えており、そして
前記システムが前記第１流体通路を通して前記患者の端部の方へインフュセートを送るように動作可能であることを特徴とする請求項１８のシステム。
【手続補正書】
【提出日】平成21年2月10日(2009.2.10)
【手続補正１】
【補正対象書類名】特許請求の範囲
【補正対象項目名】請求項１
【補正方法】変更
【補正の内容】
【請求項１】
拡張可能な医療装置を低蒸気環境で装填する方法において、
拡張可能な医療装置を第１温度の室に入れる段階と、
前記第１温度よりも低い第２温度で、蒸気および前記医療装置上に液体と固体の内の少なくとも一方を形成し得るその他のあらゆる不純物の内の少なくとも一方を、前記室から除去する段階と、
前記室内の前記温度を、前記第２温度と前記医療装置の遷移温度の内の少なくとも一方よりも低い温度まで下げる段階と、
前記医療装置の遷移温度よりも低い温度で前記医療装置を圧縮する段階と、
前記圧縮された医療装置を、送出装置と移送装置の内の少なくとも一方の中に装填する段階と、から成る方法。
【手続補正２】
【補正対象書類名】特許請求の範囲
【補正対象項目名】請求項２
【補正方法】変更
【補正の内容】
【請求項２】
前記蒸気とその他のあらゆる不純物の内の少なくとも一方を除去する前記段階は、前記室をガスで少なくとも所定時間パージする段階を含んでいる、請求項１に記載の方法。
【手続補正３】
【補正対象書類名】特許請求の範囲
【補正対象項目名】請求項７
【補正方法】変更
【補正の内容】
【請求項７】
前記蒸気とその他のあらゆる不純物の内の少なくとも一方を除去する前記段階は、前記室をガスで少なくとも所定時間パージする段階を含んでおり、
前記室内の前記温度を下げる前記段階は、前記蒸気とその他のあらゆる不純物の内の前記少なくとも一方を、その凝結又は昇華の前に、除去できるだけの十分に遅い速度で前記温度を下げる段階を含んでいる、請求項１に記載の方法。
【手続補正４】
【補正対象書類名】特許請求の範囲
【補正対象項目名】請求項９
【補正方法】変更
【補正の内容】
【請求項９】
前記医療装置を圧縮固定具に挿入する段階を更に含んでいる、請求項８に記載の方法。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
コンバーティブル靴において、
靴本体と、靴ソールとを備え、前記靴ソールは、支持面と係合し得るようにされた底面を有し、
前記靴ソールに形成された媒体通路と、前記媒体通路の下方に位置する特定の空所と、前記媒体通路と前記空所との間に配設された可撓性の壁部分と、前記可撓性の壁部分に連結され且つ、前記可撓性の壁部分から伸びると共に、前記空所内に位置する突出部とを備え、
加圧された媒体を前記通路に導入し且つ加圧された媒体を前記通路から解放すべく前記媒体通路に連結された媒体源を備え、前記可撓性の壁部分は、前記加圧された媒体に応答して可撓性の壁部分を前記空所内に伸ばすと共に、前記突出部を前記空所から伸ばして前記支持面と係合するようにし、前記空所に近接する前記通路から前記媒体を除去したとき、前記可撓性の壁部分の弾性は、前記突出部の後退を付勢するのを助けるようにした、トラクション性能を向上させるコンバーティブル靴。
【請求項２】
請求項１に記載のコンバーティブル靴において、前記空所は、前記媒体通路の実質的な長さに沿って伸びており、前記可撓性の壁及び前記突出部は、前記空所と実質的に同程度、伸びることができる、コンバーティブル靴。
【請求項３】
請求項２に記載のコンバーティブル靴において、前記突出部は、前記可撓性の壁の一体部分である、コンバーティブル靴。
【請求項４】
請求項１に記載のコンバーティブル靴において、多数の可撓性の壁部分を有する多数の空所が前記媒体通路の長さに沿って戦略的に配置され、従って、多数の突出部が前記多数の空所の多数から突き出すようにした、コンバーティブル靴。
【請求項５】
請求項１に記載のコンバーティブル靴において、前記媒体は空気又はＣＯ２である、コンバーティブル靴。
【請求項６】
請求項１に記載のコンバーティブル靴において、前記媒体源は前記靴の外側にある、コンバーティブル靴。
【請求項７】
請求項１に記載のコンバーティブル靴において、前記靴ソールは、ヒール部分を有し、前記媒体源は、前記ヒール部分内に収容されて、前記媒体を前記媒体通路に提供する、コンバーティブル靴。
【請求項８】
コンバーティブルな履物に関する方法において、
１又は複数の空所に配置され、可撓性の壁部分に連結された１又は複数の伸縮自在な部材を収容するソールを備える履物を提供する工程と、
前記ソールに流体案内通路を配置する工程と、
前記可撓性の壁部部分を前記空所に対して移動させるために、前記流体のパラメータを変更する工程と、を含む方法。
【請求項９】
請求項８に記載の方法において、
前記パラメータの変更は、前記流体案内通路内の流体の体積を増大又は減少させるために、前記通路に流体を導入し及び前記通路から流体を排出することを含む、方法。
【請求項１０】
請求項８に記載の方法において、
前記パラメータの変更は、前記流体案内通路内の流体の圧力を増大又は減少させるために、前記通路に流体を導入し及び前記通路から流体を排出することを含む、方法。
【請求項１１】
請求項８に記載の方法において、
前記可撓性の壁部材を第１の位置から第２の位置に移動させ、前記１又は複数の伸縮自在な部材を前記１又は複数の空所から伸長させるために、前記流体のパラメータを増加させる工程と、
前記膜を付勢して前記第２の位置から前記第１の位置に移動させることによって、前記１又は複数の伸縮自在な部材を前記１又は複数の空所に後退させるために、前記流体のパラメータを減少させる工程と、
を更に含む方法。
【請求項１２】
請求項１１に記載の方法において、
前記流体のパラメータを減少させる工程は、前記可撓性の壁部分の弾性に連動して、前記１又は複数の伸縮自在な部材を後退させるように動作させることを含む、方法。
【手続補正書】
【提出日】平成20年11月12日(2008.11.12)
【手続補正１】
【補正対象書類名】明細書
【補正対象項目名】０００１
【補正方法】変更
【補正の内容】
【０００１】
本発明は、骨組織に対して工具を操作し神経要素を検知するための装置および方法に関する。
【手続補正２】
【補正対象書類名】明細書
【補正対象項目名】０００２
【補正方法】変更
【補正の内容】
【０００２】
特に患者の身体の病気に冒された領域において、手術は、患者にとって痛みを伴い外傷性のものになりうる。背骨の固定を実現するために、必然的な処置はしばしば患者の脊椎の椎骨の椎弓根に穴を形成し、この穴に椎弓根スクリューを挿入することを包含する。椎弓根スクリューは、強固で安定性を実現する点で有利であるが、脊椎に穴を形成し椎弓根スクリューを配置する際に神経を侵すことのないように注意を払わなければならない。任意の神経要素を同時に監視し位置を特定するために採られる手段により、穴の形成およびねじの挿入を容易にすることができる。
神経を曝す骨組織の開口のような欠損部の位置を特定することは困難でありうる。いくつかの処置は、骨組織のある領域で神経の位置を特定するために電気刺激に対する筋肉反応を監視することを包含する。神経の位置が特定されず、ねじが曝された神経に接触する場合、ねじが神経を侵すまたは神経根に近づきすぎ、痛み、および他の影響を患者にもたらす恐れがある。穴の形成およびねじの挿入工程の際に神経要素の位置を特定することは、このような外科的処置を容易にすることができる。
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
枢動可能に接続された第一及び第二の細長い刃部材を有し、各刃部材は持ち手部と刃部とを有する鋏であって、
切断行程中の刃部同士が離れる相対的横方向移動に対抗するため、持ち手部同士を横方向に離れるように付勢させて刃部同士を横方向に接近させるように付勢するため、少なくとも一方の持ち手部は、切断行程中に他方の持ち手部と協働可能な楔手段を含む鋏において、
該楔手段は肉厚の端部と薄い端部とを有し、楔手段と他方の持ち手部の間の接触領域は、切断行程中に薄い端部から肉厚の端部に向けて移動することを特徴とする鋏。
【請求項２】
楔手段は、切断行程中に他方の持ち手部と摺動接触する傾斜面を有する、請求項１に記載の鋏。
【請求項３】
楔手段は、一方の持ち手部から他方の持ち手部に向かって突出している、請求項１又は２のいずれかに記載の鋏。
【請求項４】
楔手段は、持ち手部の全長の略中間に配置されている、請求項１〜３のいずれかに記載の鋏。
【請求項５】
一方の持ち手部に組み合わせられた第二の楔手段を更に有する、請求項１〜４のいずれかに記載の鋏。
【請求項６】
第二の楔手段は他方の持ち手部に組み合わせられる、請求項５に記載の鋏。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
標的を含んでいる標的領域に供給する血管に薬物を注入することによる、患者の身体への標的薬物送達のための注入点を決める装置において、
−前記標的領域に供給する血管の血管樹トポロジーを識別するための識別手段、
−前記血管樹において異なる可能性のある注入点へ注入した後、前記標的に送達される薬物材料の割合を決めるための流量決定手段、及び
−前記標的への最も高い割合の薬物送達となる前記可能性のある注入点を最適な注入点として選択するための選択手段
を有する装置。
【請求項２】
前記流量決定手段は、特に前記血管樹の供給血管に造影剤を注入した後、前記血管樹の終端セグメントの体積流量率を計測するための計測手段を有し、前記体積流量率は、どの位の量の薬物材料が前記終端セグメントを介し前記標的領域に入るかを示し、異なる可能性のある注入点に対する前記薬物送達の割合を決めるのに使用される請求項１に記載の装置。
【請求項３】
前記流量決定手段はさらに、前記薬物が前記血管樹の前記夫々の終端セグメントの端部に位置する組織をどの程度傷つけるかを示す、重み付け係数で前記体積流量率を重み付けする重み付け手段を有する請求項２に記載の装置。
【請求項４】
前記流量決定手段はさらに、前記血管樹における異なる可能性のある注入点に、前記体積流量率又は前記重み付けされた体積流量率夫々を逆投影するための誤差逆伝播手段を有する請求項２又は３に記載の装置。
【請求項５】
前記流量決定手段は、可能性のある注入点の評価のために使用される基準を決めることにより前記薬物送達の割合を決め、前記基準は、標的の供給血管の体積流量率の合計又は重み付けされた体積流量率の合計夫々を、体積流量率又は重み付けされた体積流量率の総和夫々で除算することにより決められる請求項２又は３に記載の装置。
【請求項６】
前記識別手段は、前記標的領域において健康な組織を標的材料と区別し、健康な組織に供給する前記血管樹の第１の終端セグメントを標的材料に供給する前記血管樹の第２の終端セグメントと区別する請求項１に記載の装置。
【請求項７】
−前記流量決定手段は、前記血管樹における異なる可能性のある注入点に注入した後、前記標的領域における前記標的及び周辺の健康な組織に送達される前記薬物材料の割合を決め、並びに
−前記選択手段は、前記標的への最も高い割合の薬物送達となると共に、健康な組織への損傷を最小にする前記可能性のある注入点を最適な注入点として選択する
請求項６に記載の装置。
【請求項８】
前記識別手段は、前記標的又は前記標的領域を健康な組織及び標的材料の区画にセグメント化するセグメント化手段を有し、前記区画は前記血管樹の別々の終端セグメントにより供給される請求項１に記載の装置。
【請求項９】
前記識別手段は、前記標的領域を識別及び前記血管樹の供給動脈により供給される区画に分割する請求項１に記載の装置。
【請求項１０】
前記血管樹及び前記最適な注入点のしるしを表示する表示手段をさらに有する請求項１に記載の装置。
【請求項１１】
前記表示手段はさらに、前記血管樹における前記血管樹の異なるセグメントに対する前記薬物送達の割合又は前記評価基準の個々の結果を表示する請求項１に記載の装置。
【請求項１２】
前記流量決定手段はさらに、計測された体積流量率がどの位不確定であるかを示す、不確定係数で前記体積流量率を重み付けする重み付け手段を有する請求項２に記載の装置。
【請求項１３】
標的を含んでいる標的領域に供給する血管に薬物を注入することによる、患者の身体への標的薬物送達のための注入点を決める方法において、
−前記標的領域に供給する血管の血管樹トポロジーを識別するステップ、
−前記血管樹において異なる可能性のある注入点へ注入した後、前記標的に送達される薬物材料の割合を決めるステップ、及び
−前記標的への最も高い割合の薬物送達となる前記可能性のある注入点を最適な注入点として選択するステップ
を有する方法。
【請求項１４】
コンピュータプログラムがコンピュータ上で実施される場合、請求項１３に記載の方法のステップを前記コンピュータに実行させるプログラムコード手段を有するコンピュータプログラム。
【手続補正書】
【提出日】平成21年2月9日(2009.2.9)
【手続補正１】
【補正対象書類名】特許請求の範囲
【補正対象項目名】請求項１
【補正方法】変更
【補正の内容】
【請求項１】
管状の導管の内視鏡検査のための装置において、
前記装置は、前記導管内を前進する間に該導管内部を可視化するための光学ヘッドを遠位端に有する挿入管と、
膨張しない前端部と膨張する前は折りたたまれている後方部とを含む膨張可能な主スリーブと、
前記挿入管と結合する少なくとも１つの膨張可能な補助的スリーブと、
を備え、
前記主スリーブは、前記挿入管と結合し、
折りたたまれた部位が開く際にスリーブが長手方向に伸びることによって内視鏡が導管内に推進し、
少なくとも１つの前記補助的スリーブは  前記導管内に前記挿入管を前進させる付加的な推進力を有している、
装置。
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
カバー（３、９、１６、２０）と、発泡体芯材（４、１０、１８、２２）と、空気ガイド層（６、１２、１７、２１）とを有する層からなる組立体を備えた車両シート用のクッションであり、暖かく湿った空気を除去するために少なくとも１つの流出開口（８、１４、２３）が設けられるクッションにおいて、
前記流出開口（８、１４、２３）が、暖かく湿った空気を流出することによって乾燥した冷たい外気が自動的に前記空気ガイド層（６、１２、１７、２１）に流入するように、前記空気ガイド層（６、１２、１７、２１）に対して配置されることを特徴とするクッション。
【請求項２】
前記空気ガイド層（１７、２１）が、前記カバー（１６、２０）と前記発泡体芯材（１８、２２）との間に配置されることを特徴とする請求項１に記載のクッション。
【請求項３】
前記発泡体芯材（４、１０）が、前記カバー（３、９）と前記空気ガイド層（６、１２）との間に配置されることを特徴とする請求項１に記載のクッション。
【請求項４】
前記発泡体芯材（４、１０、１８、２２）が、水平方向の流路（１１、２６、２７）及び／又は垂直方向の流路（５、２５、２８）を有することを特徴とする請求項１〜３のいずれか一項に記載のクッション。
【請求項５】
前記カバー（３、９、１６、２０）が、親水性のフリースの積層体から構成されることを特徴とする請求項１〜４のいずれか一項に記載のクッション。
【請求項６】
前記空気ガイド層（６、１２、１７、２１）が、ニット、網状発泡体又はラバライズドヘアーから構成されることを特徴とする請求項１〜５のいずれか一項に記載のクッション。
【請求項７】
請求項１〜６のいずれか一項に記載のクッションを備えた車両シート用のシートクッションにおいて、前記少なくとも１つの流出開口（８）が、前記空気ガイド層（６、１７）の領域において、走行方向に見て、前記クッションの後端に配置されることを特徴とするシートクッション。
【請求項８】
請求項１〜６のいずれか一項に記載のクッションを備えた車両シート用のバックレストにおいて、前記少なくとも１つの流出開口（１４、２３）が、走行方向に見て前記バックレスト（２）の後端に配置されるとともに、少なくとも１つの流入開口（１５、２４）がこの後端に設けられ、前記流出開口（１４、２３）を、前記クッションの上端であるとともに前記流入開口（１５、２４）から可能な限り最大の距離を取って配置することを特徴とするバックレスト。
【請求項９】
請求項７に記載のシートクッション（１）と、請求項８に記載のバックレスト（２）とを備えた自動車用の車両シート。
【手続補正２】
【補正対象書類名】明細書
【補正対象項目名】００３８
【補正方法】変更
【補正の内容】
【００３８】
暖かく湿った空気の排気がシートクッション１の後端の流出開口８を通って流出するこ
とに基づく吸引効果によって、追加の冷たく乾いた空気が、スプリング芯材７の下面あるいはクッション外殻の下面から発泡体芯材１８の垂直流路２５を通して吸引されて、ゴム製ニット１７を通って水平流路２６に流入した暖かく湿った空気と混合し、その混合空気が流出開口８から流出する。
【手続補正３】
【補正対象書類名】図面
【補正対象項目名】図３
【補正方法】変更
【補正の内容】
【図３】
2008529621.tif 000001
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
累加的宝くじゲームのための方法であって、
宝くじジャックポットの初期金額及び累加的宝くじゲームのラッフルトリガージャックポット金額を確立するステップと、
前記累加的宝くじゲームについて最初の宝くじの抽選を行うステップと、
前記最初の宝くじの抽選に基づいてジャックポット当せん者が出ない場合に、宝くじジャックポットを新たな金額に増やすステップと、
前記新たな金額が前記ラッフルトリガージャックポット金額を超える場合に、引き続き行われる宝くじの抽選について、ラッフルゲームと前記累加的宝くじゲームを組み合わせるステップと、
を含むことを特徴とする方法。
【請求項２】
前記累加的宝くじゲームの第２の抽選を行うステップと、
前記第２の宝くじの抽選によってジャックポット当せん者が出た場合に、前記ラッフルゲームに関連するラッフルの抽選を行うステップと、
を更に含むことを特徴とする請求項１に記載の方法。
【請求項３】
前記ラッフルの抽選を行うステップは、少なくとも１つの固有のラッフル番号を選択することを含むことを特徴とする請求項１に記載の方法。
【請求項４】
前記第２の宝くじの抽選によってジャックポット当せん者が出ない場合に、前記ラッフルゲームのラッフル賞金を増やすステップを更に含むことを特徴とする請求項１に記載の方法。
【請求項５】
前記ラッフルゲームの前記ラッフル賞金を増やすステップが、少なくとも１つの追加的なラッフル賞金を加えることを含むことを特徴とする請求項４に記載の方法。
【請求項６】
宝くじゲームのための方法であって、
少なくとも１人の参加者について宝くじのエントリーを受け取るステップと、
前記宝くじのエントリーに関連する固有のラッフル番号を生成するステップと、
宝くじ形式ゲームについて宝くじの抽選を行うステップと、
トリガーイベントが発生したか否かを判定するステップと、
前記トリガーイベントが発生した場合に、ラッフルの抽選を行うステップと、
前記トリガーイベントが発生しない場合に、所定のラッフル賞金金額を蓄積するステップと、
を含むことを特徴とする方法。
【請求項７】
前記ラッフルの抽選を行うステップが、前記固有のラッフル番号を選択することを含むことを特徴とする請求項６に記載の方法。
【請求項８】
ラッフル賞金金額を与えるステップを更に含むことを特徴とする請求項７に記載の方法。
【請求項９】
前記トリガーイベントは、前記宝くじの抽選の前記結果に関連することを特徴とする請求項６に記載の方法。
【請求項１０】
前記トリガーイベントは、ランダムに生成されることを特徴とする請求項６に記載の方法。
【請求項１１】
前記宝くじ形式ゲームは累加的宝くじであることを特徴とする請求項６に記載の方法。
【請求項１２】
前記累加的宝くじに関連するジャックポットが当せんされた場合に、前記トリガーイベントが発生することを特徴とする請求項１１に記載の方法。
【請求項１３】
累加的宝くじゲームのための方法であって、
当せんジャックポットが所定のラッフルトリガージャックポット金額に達した場合に、累加的宝くじゲームにラッフル形式ゲームを加えるステップと、
前記累加的宝くじゲームについての抽選によって、ジャックポットの当せんが出た場合に、少なくとも１つのラッフル賞金を与えるステップと、
を含むことを特徴とする方法。
【請求項１４】
前記抽選によって、ジャックポットの当せんが出ない場合に、少なくとも１つの追加的なラッフル賞金を加えるステップを更に含むことを特徴とする請求項１３に記載の方法。
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
撮影プローブであって、
近位端と遠位端とを有した細長体を備え、当該細長体はスライド可能な光ファイバの一部を取り囲むように構成され、当該光ファイバは長手方向軸を有しており、
当該ファイバの遠位端に取り付けられた第１の光学アセンブリをさらに備え、当該第１の光学アセンブリは前記ファイバから放射された光を、前記長手方向軸に対して所定角度に設定された面に向けるように構成されたビーム偏向器を有しており、
前記細長体の近位部に配置されたリニアアクチュエータをさらに備え、当該アクチュエータは前記細長体と前記光ファイバとの間の相対的なリニア運動を生じさせるように構成されており、
前記細長体の遠位部に配置されているとともにそこに取り付けられた第２の光学アセンブリをさらに備え、当該第２の光学アセンブリは前記第１の光学アセンブリと光学的に連通した反射器を有しており、当該反射器は前記細長体よりも遠位側へ光を向けるように構成されていることを特徴とする撮影プローブ。
【請求項２】
前記反射器の位置は、前記相対的なリニア運動に対応して前記光が前方視方向において走査を行うように設定されていることを特徴とする請求項１に記載の撮影プローブ。
【請求項３】
前記細長体を概ね取り囲む固定コアをさらに備えており、当該固定コアは当該固定コアの回転に対応してカテーテル先端の撮影位置が変化するように構成されていることを特徴とする請求項１又は２に記載の撮影プローブ。
【請求項４】
前記第１の光学アセンブリはさらに、前記光ファイバ先端に配置された集束マイクロレンズと、前記細長体内に設置され、走査ビームの前方視野角及び距離を大幅に適正化する角度に傾斜された単一の反射器と、を備えており、
これらレンズ及び反射器は、前記細長体の前記遠位端よりも遠位側に配置され、かつ前記ファイバの前記長手方向軸に対して概ね直交とされた撮影面を形成することを特徴とする請求項１乃至３のいずれか１に記載の撮影プローブ。
【請求項５】
前記反射器と光学的窓は、前記細長体に取り付けられた透明の光学材料のブロックにより構成されていることを特徴とする請求項１乃至４のいずれか１に記載の撮影プローブ。
【請求項６】
前記第１の光学アセンブリは、斜め研磨加工が施された先端を有する光ファイバを備えており、前記第２の光学アセンブリは、前記細長体の外側に取り付けられたハウジング内に対のマイクロレンズを有する前記反射器を備えていることを特徴とする請求項１乃至５のいずれか１に記載の撮影プローブ。
【請求項７】
前記レンズの焦点距離及び位置は、所望の焦点サイズ及び作動距離を実現するように選択されていることを特徴とする請求項６に記載の撮影プローブ。
【請求項８】
前記第１の光学アセンブリは、斜め研磨加工が施された先端を有する光ファイバを備えており、前記第２の光学アセンブリは、前記細長体の外側に取り付けられたハウジング内に単一の屈折率分布型レンズを有する反射器を備えており、
前記屈折率分布型レンズの屈折率プロファイル及び位置は、所望の焦点サイズ及び作動距離を実現するように選択されていることを特徴とする請求項１乃至５のいずれか１に記載の撮影プローブ。
【請求項９】
前記リニアアクチュエータはボイスコイルを備えていることを特徴とする請求項１乃至８のいずれか１に記載の撮影プローブ。
【請求項１０】
前記リニアアクチュエータは、前記ファイバを当該アクチュエータに対して固定状態としながら前記シースを移動させるように構成されていることを特徴とする請求項１乃至９のいずれか１に記載の撮影プローブ。
【請求項１１】
前記細長体は流体で満たされているとともに、前記光ファイバの周りで前後に移動するように構成されていることを特徴とする請求項１乃至１０のいずれか１に記載の撮影プローブ。
【請求項１２】
光が放射される先端を除き前記光ファイバを概ね覆う金属チューブと、当該金属チューブ及び前記光ファイバに対して移動するように構成され、流体で満たされた外側シースと、をさらに備えていることを特徴とする請求項１乃至１１のいずれか１に記載の撮影プローブ。
【請求項１３】
生物組織走査の関連用途のために、光学コヒーレンス断層撮影法システムのサンプルアーム系で用いられるように構成されていることを特徴とする請求項１乃至１２のいずれか１に記載の撮影プローブ。
【請求項１４】
光学コヒーレンス断層撮影法システムにおけるリファレンスアーム系又はサンプルアーム系のいずれか一方には光路長調整手段が含まれており、当該手段はアクチュエータ走査により誘発される光路長の変化を自動的に補正するものであることを特徴とする請求項１３に記載の撮影プローブ。
【請求項１５】
前記ビームは、前記アクチュエータのリニア運動に同期して線状に走査するものであることを特徴とする請求項１乃至１４のいずれか１に記載の撮影プローブ。
【請求項１６】
前記細長体は、湾曲した先端をさらに備えており、少なくとも当該先端の一部は前記リニア運動に応じて光を放射するように構成されていることを特徴とする請求項１乃至１５のいずれか１に記載の撮影プローブ。
【請求項１７】
リニアアクチュエータと、
当該リニアアクチュエータに機械的に接続され、傾斜端面を有するシングルモード光ファイバと、
反射器に対する前記光ファイバ端面の動作により、前記光ファイバ端面からの光が光ファイバの円形横断面に対し概ね平行な面に向けられる角度に設置された反射器を有するシースと、
を備えていることを特徴とする光学コヒーレンス断層撮影法の前方走査システム。
【請求項１８】
光ファイバの回転ひずみ緩和装置をさらに備えており、当該装置は前記ファイバと機械的に接続されていることを特徴とする請求項１７に記載のシステム。
【請求項１９】
前記回転ひずみ緩和装置は、第１のポートと第２のポートとを有するチューブを備えており、当該チューブは少なくとも一のループ部を形成するように構成されており、
前記第１のポートは光学コヒーレンス断層撮影法の撮影プローブと接続するように構成されており、前記チューブ内部は光ファイバのスライドを容易なものとするように構成されていることを特徴とする請求項１８に記載のシステム。
【請求項２０】
前記第２のポートは干渉計のサンプルアーム系と接続するように構成されていることを特徴とする請求項１９に記載のシステム。
【請求項２１】
前記ループ部は概ね円形であることを特徴とする請求項１９又は２０に記載のシステム。